(57)【要約】      （修正有）【課題】装飾品として楽しみながら、口呼吸と飲食を楽に行うことができ、結婚式のような華やかな場でも違和感なく着用できる布製装飾用マスクを提供する。【解決手段】少なくとも、着用者の鼻を覆う布製装飾用マスクＡにおいて、被覆部１に設けた着用者の口元開口用の方形状の開口部５と、被覆部１の短辺両端に設けた耳かけ部３と、被覆部１の下端に設けたかけ紐２と、を備え、被覆部１は、少なくとも着用者の鼻を覆う長方形状を呈する。【選択図】図１
0003230346.tif 000002
【実用新案登録請求の範囲】
【請求項１】
少なくとも、着用者の鼻を覆う布製装飾用マスクにおいて、
被覆部に設けた前記着用者の口元開口用の方形状の開口部と、
前記被覆部の短辺両端に設けた耳かけ部と、
前記被覆部の下端に設けたかけ紐と、
を備え、
前記被覆部は、少なくとも前記着用者の鼻を覆う長方形状を呈することを特徴とする布製装飾用マスク。
【請求項２】
前記被覆部は、少なくとも、表部、裏上部、裏下部、及び前記かけ紐で構成し、
前記裏上部と、この裏上部に縫合し、かつ前記開口部を設けた前記裏下部からなる裏部と、
前記開口部を設けた前記表部と、
の少なくとも二重構造であることを特徴とする請求項１に記載の布製装飾用マスク。
【請求項３】
前記裏部の、前記裏上部と、前記裏下部を縫合した縫い目は、前記着用者の顔面に当接することを特徴とする請求項２に記載の布製装飾用マスク。
【請求項４】
前記かけ紐は、前記着用者の顎に引っかけて前記布製装飾用マスクを前記着用者の顔面に固定可能であることを特徴とする請求項１に記載の布製装飾用マスク。
【請求項５】
前記かけ紐の長さを調整する長さ調整具を具備することを特徴とする請求項１に記載の布製装飾用マスク。
【請求項６】
前記布製装飾用マスクの両端に備えた前記耳かけ部を、連結、及び長さ調整可能な連繋手段を具備することを特徴とする請求項１に記載の布製装飾用マスク。
【考案の詳細な説明】
【技術分野】
【０００１】
本考案は布製の顔面を装飾するマスクに関する。
【背景技術】
【０００２】
近年、飛沫を防ぐこと、ウイルスのような汚染物質から身を守る目的等から常にマスクをつけることが求められている。しかし、通常のマスクは顔面の半分以上を覆い隠すことにより、表情が相手に伝わらずに圧迫感を与えること、おしゃれでないこと、また、結婚式や発表会等の華やかな場ではマスクが正装に似合わないこと、マスクを着用すると眼鏡が曇ってしまうこと、呼吸をすると息苦しいこと、さらに、マスクを着用してレストラン等で食事をする際には、ウイルス等の汚れが付着しているマスクを顎にずらす、もしくは外してテーブル等に置いておくことが必要になり、衛生的ではないこと、等の問題点が挙げられる。
【０００３】
これらの課題を解決するための従来の考案として、次のような考案が挙げられる。例えば実用新案登録第３１３６０８４号公報（文献１）であり、登山、釣り、ウォーキング等の外出時に、顔面の日焼けを防止することが可能で、ずれにくく快適な装着感が得られ、デザインを重視し、生産コストを抑制できる顔面遮光布について開示されている。この顔面遮光布は、遮光布上片部の下端と遮光布下片部上端とが一部重ね合わされた状態で固定され、更にこれらの間に呼吸するために十分な大きさの開口部を設けている。この開口部により、使用者が呼吸する際に、吸込む空気を開口部を通して顔面遮光布の外側から流入させ、吐き出す空気をこの開口部を通して顔面遮光布の外側に排出することが可能となり、顔面遮光布の内側に熱や水分が滞留することを防止でき、また、眼鏡を装着する場合には眼鏡の曇りを防止することも可能となる。
【０００４】
また、スムーズな会話が可能で、マスク装着時の息苦しさから解放するマスクに関して、特開２０１２−１９２１５４号公報（文献２）がある。この文献２のマスクは、大きな開閉口を設けたマスク本体部と、この開閉口を開閉する開閉扉からなり、開閉扉に設けた開閉器の吹込み菅に息を吹き込む空気圧で開閉扉が開閉する仕組みである。マスク本体部に設けた開閉扉を空気圧により開閉することで、開口部を露出し飲食が可能である。
【先行技術文献】
【特許文献】
【０００５】
【特許文献１】実用新案登録第３１３６０８４号公報
【特許文献２】特開２０１２−１９２１５４号公報
【考案の概要】
【考案が解決しようとする課題】
【０００６】
特許文献１の顔面遮光布では、口呼吸はしやすくなるが、一口お茶を飲みたい等の軽い飲食をしたい時でも、開口部の大きさが十分でないため、その都度、顔面遮光布を外す、もしくはマスクを顎にずらす等を行う必要がある。また、特許文献２のマスクでは、開口部の大きさは十分であるが、長い時間食事を行うときには、開閉扉が邪魔になるうえ、構造が複雑であるため、生産に手間がかかり、コストが上がることが考えられる。また、これらの特許文献では、マスクを装飾品として楽しむことはできない。
【課題を解決するための手段】
【０００７】
本考案は上記課題に鑑み、マスクを装飾品として楽しみながら、口呼吸と飲食を楽に行うことができ、かつ結婚式の様な華やかな場所でも違和感なく着用できる布製装飾用マスクを提供することを目的とし、請求項１から６を提案する。
【考案の効果】
【０００８】
請求項１においては、
少なくとも、着用者の鼻を覆う布製装飾用マスクにおいて、
被覆部に設けた着用者の口元開口用の方形状の開口部と、
被覆部の短辺両端に設けた耳かけ部と、
被覆部の下端に設けたかけ紐と、
を備え、
被覆部は、少なくとも着用者の鼻を覆う長方形状を呈することを特徴とする布製装飾用マスクである。
【０００９】
請求項１により、着用者が顔面の装飾品として楽しむことができる布製装飾用マスクを提供する。
【００１０】
請求項２においては、
被覆部は、少なくとも、表部、裏上部、裏下部、及びかけ紐で構成し、
裏上部と、裏上部に縫合し、かつ開口部を設けた裏下部からなる裏部と、
開口部を設けた表部と、
の少なくとも二重構造であることを特徴とする布製装飾用マスクである。
【００１１】
請求項２により、請求項１の効果と、着用者が鼻から吸引する不純物質等を防ぐことができる布製装飾用マスクを提供する。
【００１２】
請求項３においては、
裏部の、裏上部と、裏下部を縫合した縫い目は、着用者の顔面に当接することを特徴とする布製装飾用マスクである。
【００１３】
請求項３により、請求項２の効果と、顔面への密着度が高い布製装飾用マスクを提供する。
【００１４】
請求項４においては、
かけ紐は、着用者の顎に引っかけて布製装飾用マスクを着用者の顔面に固定可能であることを特徴とする布製装飾用マスクである。
【００１５】
請求項４により、請求項１の効果と、布製マスクの装着感を向上させることが可能な布製装飾用マスクを提供する。
【００１６】
請求項５においては、
かけ紐の長さを調整する長さ調整具を具備することを特徴とする布製装飾用マスクである。
【００１７】
請求項５により、請求項１の効果と、簡単に装飾用マスクの着脱及び着用感の調節が可能な布製装飾用マスクを提供する。
【００１８】
請求項６においては、
布製装飾用マスクの両端に備えた耳かけ部を、連結、及び長さ調整可能な連繋手段を具備することを特徴とする布製装飾用マスクである。
【００１９】
請求項６により、請求項１の効果と、楽に長時間着用できる布製装飾用マスクを提供する。
【図面の簡単な説明】
【００２０】
【図１】本考案の第一実施例における布製装飾用マスクの正面図  （イ）表面、（ロ）裏面
【図２】本考案の第一実施例における布製装飾用マスクの着用イメージ図
【図３】本考案の第二実施例における布製装飾用マスクを示す正面図
【図４】本考案の第三実施例における布製装飾用マスクを示す正面図
【図５】本考案の第三実施例における布製装飾用マスクの着用イメージを示した一部欠截の模式図
【図６】本考案の第四実施例における布製装飾用マスクの正面図
【図７】（イ）及び（ロ）布製装飾用マスク耳かけ部に、連繋手段を使用する場合の一例の背面要部拡大図
【考案を実施するための形態】
【００２１】
以下、本考案の一実施例を説明するが、好ましい一例であり、この説明とか図面に限定されず、本考案の考えと、概念が符合するものは、本考案の範疇である。
【００２２】
図１に示すように、布製装飾用マスクＡは、鼻Ｈ１と頬Ｈ２を覆う被覆部１と、かけ紐２と、耳かけ部３から構成される。さらに被覆部１は、表部１０と裏部１１からなり、裏部１１は裏上部１１ａと裏下部１１ｂを縫製して構成される。
【００２３】
裏部１１を裏上部１１ａと裏下部１１ｂに分割し、縫製することにより、被覆部１の裏地は、布製装飾用マスクＡの横方向Ｘに縫い目６ができる。この縫い目６は、布製装飾用マスクＡの芯の役割を担う。これにより、布製装飾用マスクＡを装着した時に、この縫い目６が着用者の鼻Ｈ１周辺に位置し、布製装飾用マスクＡと着用者の顔面とを密着させて隙間を小さくできる。
【００２４】
被覆部１に設けた開口部５は、被覆部１の下端まで至っており、被覆部１の下端に開口端部５ａを形成する構造で、この開口端部５ａには、かけ紐２を備える。このかけ紐２は、布製装飾用マスクＡの装飾パーツとして楽しむだけでなく、着用者の顎に引っかけて、着用者の顎にマスクを固定することもできるため、装着感の向上、かつ、かけ紐でおしゃれを楽しむことができる。
【００２５】
被覆部１の表部１０は、結婚式、パーティ、祝賀会等の華やかな時に装着する場合には、絹のような光沢感のある生地が望ましい。一例として、ウェディングドレスではシルク生地、サテン生地やレース素材を、和装では和柄の絹等を使用すると、その光沢感で着用者の顔面を華やかに装飾することができる。また、被覆部１の裏部１１には、ガーゼ素材等の肌に優しい生地を使用し、着用時の装着感を向上できる。これらの生地は一例であり、ミシンや手縫いにより縫製可能であれば限定するものではない。
【００２６】
図２に示すように、布製装飾用マスクＡを着用すると、開口部５により着用者の口元が開放されるため、例えば結婚式中の飲食時にも布製装飾用マスクＡを装着したまま飲食が可能になる。すなわち、布製装飾用マスクＡを外す手間や、外した後の、汚れた布製装飾用マスクＡをテーブル等に置く不衛生さから解放される。一方で、鼻Ｈ１と頬Ｈ２を覆うことで、感染予防と、顔面の一部を隠すことに役立ち、着用の特徴を発揮できる。
【００２７】
本考案の第二実施例の布製装飾用マスクＡを図３に示す。第二実施例においては、開口端部５ａに備えたかけ紐２の長さを調整できる、長さ調整具７を備えている。この長さ調整具７により、かけ紐２の長さを、着用者の好みに簡単に合わせることができ、着用感をより向上させることができる。
【００２８】
図４及び図５は、本考案の第三実施例であって、第三実施例の布製装飾用マスクＡを説明すると、開口部５の上布部５ｂとか、その近傍に、例えば、一文字、曲面形状の膨出形の鼻当て部１２を設けた構造であり、この鼻当て部１２は、鼻の穴側に接触する。布製装飾用マスクＡのズレ上がり防止と、鼻Ｈ１を保護する役割がある。この鼻当て部１２は、スポンジ等のクッション素材とか、線材、形状記憶素材により膨出感を有する素材でも可能である。
【００２９】
図６は、本考案の第四実施例であって、この第四実施例の布製装飾用マスクＡを説明すると、被覆部１の上端側に、水平方向にワイヤ１３を設けた構造であり、このワイヤ１３は、着用者の鼻筋に接触する。このワイヤ１３は、形状記憶素材等で変形可能とし、このワイヤ１３を着用者の鼻Ｈ１の凹凸に沿わせることにより、布製装飾用マスクＡのフィット感をより高めることができる。
【００３０】
図７には、本考案の第一〜第四実施例の布製装飾用マスクＡの耳かけ部３を、連繋手段により連繋して使用する場合の要部拡大図を示す。通常、一般的なマスクを長時間着用していると、耳の後ろが痛くなる場合がある。これを予防するための、連繋手段である。例えば、布製装飾用マスクＡの両端部に設けた耳かけ部３、３を面ファスナー８Ａや結束バンド８Ｂ等で固定する。これにより、後頭部全体で布製装飾用マスクＡを固定できる。さらに、着用者は簡単に自分の頭部サイズに合わせて着用できるため、長時間着用していても楽である。また、これらの連繋手段は簡単に外せるため、通常通りに耳かけ部３を着用者の耳にかけて使用しても良い。
【００３１】
本考案の布製装飾用マスクＡによれば、結婚式や発表会といった華やかな場所であっても、おしゃれに身に着けることができ、さらに顔面に着用するため、周囲にマスクを装着している安心感を与えることができる。さらに、写真撮影時でも、本考案のマスクを外さずに笑顔を撮影することができる。
【００３２】
以上で説明した実施例の一例は、好ましい各例を示したものであり、同様な効果と特徴を有する他の構造、手段は、本考案の範疇である。
【符号の説明】
【００３３】
Ａ      布製装飾用マスク
１      被覆部
１０    表部
１１    裏部
１１ａ  裏上部
１１ｂ  裏下部
２      かけ紐
３      耳かけ部
５      開口部
５ａ    開口端部
５ｂ    上布部
６      縫い目
７      長さ調整具
８Ａ    面ファスナー
８Ｂ    結束バンド
１２    鼻当て部
１３    ワイヤ
Ｈ１    鼻
Ｈ２    頬
Ｘ      横方向
【図１】
0003230346.tif 000003
【図２】
0003230346.tif 000004
【図３】
0003230346.tif 000005
【図４】
0003230346.tif 000006
【図５】
0003230346.tif 000007
【図６】
0003230346.tif 000008
【図７】
0003230346.tif 000009